Podtech/llm-jp-corpus-v4-ja_patent huggingface dataset:
(57)【要約】【課題】構造が簡単で軽くて使い易く、かつ足の指の間を素早く確実にきれいに洗うことができる足指間ネットを提供すること。【解決手段】ハンドルの一端と横軸の間に３本のネットを放射状にした。したがって同時に３ヶ所のネットが足の指の間の隅々まで入り込み、きれいに洗うことができる。【選択図】図１
2016202857.tif 000002
【特許請求の範囲】
【請求項１】
ハンドルの一端と横軸の間に１〜４本のネットを放射状に設けたことを特徴とする足指間ネット。
【発明の詳細な説明】
【技術分野】
【０００１】  本発明は、足指の間や足を洗うための足指間ネットに関するものである。
【背景技術】
【０００２】  従来、足は蒸れたり汚れたりすると、異臭を放って不衛生になり、水虫等の皮膚病の原因ともなっている。
なお、この種の足専用の洗い具で指間ブラシ（特許文献１参照）が提案されている。
【先行技術文献】
【特許文献】
【０００３】
【特許文献１】  特開２０００−５０９６０公報
【発明の概要】
【発明が解決しようとする課題】
【０００４】  上述の特開２０００−５０９６０公報の指間ブラシは、ハンドルの一端に１〜４本のロッドを取り付け、この各ロッドに複数のリングを着脱自在に嵌め込み、各リングの外周壁にブリッスルを放射状に植毛した構成であるが、構造が複雑で重く使用が難しく、さらに製品単価も高額である。【０００５】  本発明は、この従来の不満点を解消し要求に応えるべく発明された足指間ネットであって、構造が簡単で軽くて、使い易く、かつ指の間を素早く洗えて、無理な前屈姿勢も緩和されて、心地が良くて確実に足の汚れや臭いを落とし、美麗な足を維持することができるようにすることを目的とするものである。
【課題を解決するための手段】
【０００６】  上記目的を達成するための足指間ネットにおいて、ハンドルの一端と横軸の間に１〜４本のネットを設けたことを特徴とする。【０００７】  上記した本発明に係る足指間ネットは、３本のネットを放射状にした。したがって同時に３ヶ所のネットが指の間の隅々まで入り込み、きれいに洗うことが可能となる。
【発明の効果】
【０００８】  以上述べたように、ハンドルを持ってネットで同時に足の指の間を洗うことができる。したがって、足指間ネットは素早く洗えて、肌に負担がなく、足指の間の洗いが可能となる。さらに、足の裏や甲等をきれいに洗うことができる。【０００９】  また本発明は、シャワー等での立ち姿勢のままで、洗うことができるので、足指の間の隅々まで入り込ませて、きれいに洗うことが可能となる。【００１０】  他にも、お風呂などでの無理な前屈姿勢が緩和されるので、身体的ハンディのある人や高齢者や妊婦などに、軽くて、素早く、綺麗にあらえる足指間ネットの使用は好適である。【００１１】  以上の効果よりなる本発明の足指間ネットは、構造が簡単で廉価に製造できることから、多くの需要が見込まれるなど、多くの優れた作用効果が現れる。
【図面の簡単な説明】
【０００１２】
【図１】  本発明の斜視図
【図２】  本発明の使用状態を示す斜視図
【発明を実施するための形態】
【００１３】  以下、本発明の実地の形態を説明す。
（イ）  ハンドル（３）の一端に支軸（５）を設ける。
（ロ）  支軸（５）の湾曲の先端に横軸（４）を設ける。
（ハ）  ハンドル（３）と横軸（４）の間にネット（２）を設ける。
本発明は以上のような構造である。
【００１４】  本発明を使用するときは、ハンドル（３）を持ってネット（２）にソープをつけて足指の間に入れて軽くこすりつけながら動かすことでソープ泡（６）が立ち優しくソープが足指の間を包み込み、ネット（２）が肌に負担をかけずに皮脂や汚れを落とすことができる。
【００１５】  前記実施の形態では、ハンドルの一端と横軸の間に、３本のネットを設けたが例えばネットは１本でもよく、また２〜４本であってもよい。
【符号の説明】
【００１６】  １  足指間ネット、２  ネット、３  ハンドル、４  横軸、５  支軸、６  ソープ泡。
【図１】
2016202857.tif 000003
【図２】
2016202857.tif 000004
(57)【要約】【課題】タップシューズの代用が用意できたら、ステップを踏むプレートも準備しなければ、タップは楽しめない。【解決手段】タップ用の簡易プレートとして、少なくとも約６００ｍｍ平方の大きさをもち、スチール製のステップ板を嵌め込むウレタン樹脂の台座に、集音プールと溝を設けたのが特徴。床に置いただけのステップ板だとこもりがちな音も、この溝で外に出すことができ、ピックアップ装置がなくてもタップ音の効果が十分楽しめる。【選択図】図１
2016202856.tif 000002
【特許請求の範囲】
【請求項１】
スチール製のステップ板をウレタン樹脂の台座の上に嵌め、台座には集音プールと音を相対する側面２方向の外に出すための溝を設けたタップ用簡易プレート。
【発明の詳細な説明】
【技術分野】
【０００１】  本発明は、タップを楽しもうとするとき、代用シューズとともに用意したいタップ用の簡易プレートに関するものである。
【背景技術】
【０００２】  現在、特にカラオケを楽しむ場所で、曲に併せてタップを踊ろうとするとき、代用タップシューズとともに、プレートも用意しなくてはならない。残念ながら、いずれも用意してあるところはない。
【先行技術文献】
【特許文献】
【０００３】
【特許文献１】特開２００３−２２８３７１号
【特許文献２】特開２０１３−０８１７３１号
【発明の概要】
【発明が解決しようとする課題】
【０００４】  代用シューズを用意したら、次はステップを踏むステージが必要である。しかし、スチール製のステップ板を床に置いただけのタップ用プレートでは、床に吸収される音はこもりがちで、音響効果としては不十分である。
本発明は、以上の問題点を解決するためのものである。
【課題を解決するための手段】
【０００５】  約６００ｍｍ平方のウレタン樹脂の台座に、スチール製ステップ板を嵌め込んでタップ用プレートとするが、床にこもりがちな音を外に出す工夫として、台座に集音プールと溝を設けたのが特徴である。
以上の構成によりなるタップ用の簡易プレートである。
【発明の効果】
【０００６】  この集音プールと溝付き台座により、ピックアップ装置を設けなくても、それなりにタップ音効果は期待できる。代用シューズとこの簡易プレートを用意できれば、一般家庭をはじめ、カラオケを楽しむ場所に限らず、屋外などでもタップを楽しめるようになる。
【図面の簡単な説明】
【０００７】
【図１】本発明の概略図
【図２】ウレタン樹脂台座を上から見た図
【図３】本発明の断面図
【発明を実施するための形態】
【０００８】  以下、本発明の実施の形態を説明する。
（イ）タップ用の簡易プレートの大きさは、カラオケが歌える場所を考えて、少なくとも      約６００ｍｍ平方以上は欲しい。厚さ数ｍｍスチール製のステップ板（４）を厚さ      １５ｍｍほどのウレタン樹脂の台座（１）で支える構造である。
（ロ）ウレタン樹脂の台座は、単にフラットな形状ではなく、スチール製のステップ板が      台座から外れないような枠（２）を持ち、タップ音をできるだけ響かせるために表      面全体に集音プール（５）と溝（３）を形作っているのが特徴。集音プールはほぼ      中央に、溝は相対する側面２方向に音を出すように設計する。しかし、集音プール      と溝の形状やデザインは、台座の強度を弱めない程度に配慮すれば自由で良い。
本発明は以上のような構造である。
本発明は、ウレタン樹脂の台座の枠内にスチール製のステップ板を嵌め込んで使用するタップ用の簡易プレートである。スチール製のステップ板の代用として、強度が許せばセラミック製のものでも楽しめそうである。
【符号の説明】
【０００９】  １台座、２枠、３溝、４ステップ板、５集音プール
【図１】
2016202856.tif 000003
【図２】
2016202856.tif 000004
【図３】
2016202856.tif 000005
(57)【要約】【課題】  金属性の水素分離膜の分離性能の向上と大型化の両立は製造上困難であり、分離膜を使った水素膜分離器のコストダウンのためには安価で性能の安定した小型の分離膜を使用することが求められる。【解決手段】  小型の分離膜を鋼板に貼り付けることで１枚の鋼板の水素分離能力の増大を図り、その鋼板を重ねて更に水素透過面積を増加させることで水素分離膜の必要透過面積を確保する。【選択図】図１
2016203154.tif 000002
【特許請求の範囲】
【請求項１】
ステンレス製の枠の内側に外圧を支えるための同じくステンレス製の桟を縦横に配備し、当該枠に多孔質担持体表面に金属水素分離膜を積層した水素分離膜エレメントを複数枚貼り付けたステンレス鋼板２枚を相対して全周シール溶接にて取り付けて密閉構造とし枠の１辺に水素抜き出し用のノズルをつけた水素分離膜ブロックとなし、当該水素分離膜ブロックを原料ガスの出入り口を設けたステンレス鋼板製の筐体に複数個一定の間隔をあけて並置して納めブロック間の隙間を水素を含む原料ガスの流路となし多数の水素分離膜エレメントにより必要水素分離膜の分離性能を確保することを特徴とする膜式水素分離器。
【請求項２】
水素分離の対象となる原料ガスが水素分離膜ブロック間を素通りしないように水素分離膜ブロック間の原料ガス流路に邪魔板を設置し原料ガスが均一に流れるようにしたことを特徴とする膜式水素分離器。
【請求項３】
複数の水素分離膜ブロックを水素抜き出し用のノズルを介して１枚の管板に取り付け、当該管板を筐体の側面にボルト締めにて取り付けることにより水素分離膜ブロックの取り外しを容易にしたことを特徴とする膜式水素分離器。
【発明の詳細な説明】
【技術分野】
【０００１】  水蒸気改質水素製造装置における改質ガスからの水素の分離法に関する。
【技術背景】
【０００２】  水蒸気改質水素製造装置における改質ガスからの水素分離法として特に水素ステーションなど中小規模の場合はＰＳＡを利用する方法が主流になっているが近年金属膜を利用した水素分離法の実用化開発が行なわれている。
【発明の開示】
【発明が解決しようとする課題】
【０００３】  水素のみ選択的に透過する金属製分離膜は比較的高温高圧で使用されるため担持材には多孔質金属やセラミックが使用されているが欠陥のない大型の分離膜は製造技術上製作が難しく、また大型化による担持材への負荷が増大および金属膜と担持体の熱膨張差による膜の破損などが懸念される。
【課題を解決しようとする手段】
【０００４】  担持材表面に水素分離膜を積層した多数の小型で平板な金属製水素分離膜エレメントをステンレス鋼板に溶接接合あるは拡散接合し、当該ステンレス鋼板を二枚相対して枠に全周溶接して密閉性を保持すると共に、枠の１辺に水素抜き出しノズルを取り付け１組の水素分離膜ブロックを作る。
【０００５】  枠内には枠の高さと同じ高さの外圧を支えるための桟を縦横に取り付け、当該桟には水素が流通するための孔を空けておく。
【０００６】  水素分離膜ブロックの外側即ち水素分離膜ブロックと水素分離膜ブロックとの隙間には水素を含んだ原料ガスの流路を制限するための邪魔板を設置し、原料ガスの流路の距離を長くする。
【０００７】  複数の水素分離膜ブロックを当該邪魔板の高さに合わせて並べ、それぞれの水素抜き出しノズルを１枚の管板に取付け水素膜ブロック群となし、当該管板を筐体の取り付けフランジにボルト締めにて取り付ける。
【発明の効果】
【０００８】  製作が容易で最も経済的な大きさの水素膜エレメントを選んでステンレス鋼板に多数枚貼り付け、その鋼板の枚数により必要な水素分離膜面積を確保することでより欠陥の少ない経済的な膜式水素分離器を製造することができる。
【０００９】  筐体と水素分離膜ブロック管板との取り付けフランジ部以外はすべて溶接にて密閉されているため分離膜の破損時以外は原料ガスの分離水素への漏れ込みの恐れがない。
【００１０】  水素分離膜が破損した場合はその破損した水素分離膜ブロックのみ取り出しノズルを閉止することで運転は続行できるし、その破損した水素分離膜ブロックの取替えも出来る。
【００１１】  原料ガス流路を邪魔板により狭くて長くすることにより原料ガスが均一に分離膜表面を流れ、水素分離膜の分離効率を上げることが出来る。
【発明を実施するための最良の形態】
【００１２】  本発明の金属膜を利用した水素分離器に関する実施の形態について説明する。なお、この形態は発明の趣旨をよりよく理解させるために説明するものであり、特に指定しない限り本発明を限定するものではない。
【実施例１】
【００１３】  多孔質セラミック表面に金属製分離箔を付着させた水素膜分離エレメント２０１をロウ付けした２枚のステンレス鋼板２０２をステンレス製の四角の枠２０３に溶接して密閉構造とした水素分離膜ブロックとし、その枠の中の１辺に水素抜き出しノズル２０６を取り付けて分離された水素が取り出せるようにする。【００１４】  枠内には水素分離時に生ずる圧力差を支えるためのステンレス桟２０４を縦横に設け個々の水素分離膜エレメント２０１にかかる圧力の軽減を図る。【００１５】  水素ガス流出方向のステンレス桟２０４には水素が流れるように孔をあけておく。【００１６】  水素分離膜ブロックに原料ガスの通路を制限するためのステンレス邪魔板２０５を取付けそのブロックを複数個重ねてそれぞれの水素取り出しノズルを管板３０１に取り付け筐体に設けられた水素分離膜ブロック群取付けフランジ１０２にボルト締めにて取り付ける。【００１７】  筐体１０１には原料ガス入口ノズル１０３および原料ガス出口ノズル１０４を設ける。
【産業上の利用可能性】
【００１８】  水蒸気改質により生成した水素以外でも製鉄所、化学工場で発生する副生ガス中の水素を選択的に分離回収できる。
【図面の簡単な説明】
【００１９】
【図１】膜式水素分離器の平面図と正面図を示す。
【図２】水素分離膜ブロックの正面図、側面図、断面図を示す
【符号の説明】
【００２０】１０１    筐体                    １０２    水素分離膜ブロック群取付けフランジ
１０３    原料ガス入口ノズル      １０４    原料ガス出口ノズル
２０１    水素分離膜エレメント    ２０２    ステンレス鋼板
２０３    ステンレス枠            ２０４    ステンレス桟
２０５    ステンレス邪魔板        ２０６    水素抜き出しノズル
３０１    管板
【図１】
2016203154.tif 000003
【図２】
2016203154.tif 000004
(57)【要約】【課題】  バラのメモ用紙を立て収納する場合の用紙取り出しを容易にするメモ用紙立てを提供する。【解決手段】  メモ用紙を立てて収納するメモ用紙収納スペースに於いて、外側壁を外側へ１５°程度傾斜させ、底を外側壁の傾斜角度程度以上に傾斜させ、傾斜させた外側壁の外側に、外周を滑り止め処理したローラーまたは車輪状の回転式紙送りをメモ用紙収納スペース内に僅かに突出させる状態で設けた。【選択図】図１
2016203599.tif 000002
【特許請求の範囲】
【請求項１】
メモ用紙を立てて収納するメモ用紙収納スペースに於いて、外側壁を外側へ１５°程度傾斜させ、底を外側壁の傾斜角度程度以上に傾斜させ、傾斜させた外側壁の外側に、外周を滑り止め処理したローラーまたは車輪状の回転式紙送りをメモ用紙収納スペース内に僅かに突出させる状態で設けたメモ用紙立て。
【発明の詳細な説明】
【技術分野】
【０００１】  本発明は、斜めに立てかけたバラのメモ用紙を、指で廻す形式の回転式紙送りで迫り上げて取り出すメモ用紙収納用具。
【背景技術】
【０００２】  メモ用紙を立てて収納するには、用紙を立てる囲いがあれば足りるので、各種の類似商品が売り出されている。
【発明の概要】
【発明が解決しようとする課題】
【０００３】  市販の囲いだけのメモ立ては、ハガキ等の郵便物を立てる用途に使用される場合が多いようだが、バラのメモ用紙を立てる場合は、上端が微妙に食い違っているので、１枚だけ取り出すのが面倒で、指にツバをつける必要もでてくる。このような背景かどうかは不明だが、メモ用紙は背貼りした商品しか見かけない。【０００４】  背貼りしたメモ用紙は、背貼りした後に裁断しているので、小口が正確に揃っているので、掴み出し易いが、それでも迅速処理とはならないし、両手を使う必要があり、使用後は残りを元の位置へ返しておく必要がある。
【課題を解決するための手段】
【０００５】  メモ用紙５を立てて収納するメモ用紙収納スペース１に於いて、外側壁３を外側へ１５°程度傾斜させ、底２を外側壁の傾斜角度程度以上に傾斜させ、傾斜させた外側壁の外側に、外周を滑り止め処理したローラーまたは車輪状の回転式紙送り４をメモ用紙収納スペース内に僅かに突出させる状態で設けた。【０００６】  メモ用紙収納スペース１は、片側または両側を開放にすれば、スペースを越えるサイズの用紙も使える。図２は片側開放型の例である。
【発明の効果】
【０００７】  指で回転式紙送りを廻せば、メモ用紙は迫り上がって上に突き出るので、すぐに用紙端を掴んで取り出すことができる。同じ側にペン立て筒を設けておけば、ペンも同時に掴み出すことができるので、大変便利だ。【０００８】  紙を迫り上げて取り出すので、用紙サイズが幾分の不揃いでも問題なく使用できる。また、単純構造だから安価で提供できる。
【図面の簡単な説明】
【０００９】
【図１】  床置き型断面図
【図２】  床置き型平面図
【図３】  壁付け型断面図
【発明を実施するための形態】
【００１０】  床置き型では、横に補助スペースを設けておけば転倒の危険も少なく、安定して使用できるし、各種の用具を同時に立設できる。また、一部を着脱式の仕切りとすれば、ペン等の小物も収納でき、更に便利。
【００１１】  用紙が少なくなると迫り上がりぬくくなるが、その時は、用紙後ろにプラスチック板等を入れておけば、最後の一枚まで迫り上がる。
【００１２】  壁面に取り付けする時は、マグネットや粘着板を使うと良いが、それらは従来技術である。
【符号の説明】
【００１３】  １  メモ用紙収納スペース
２  底
３  外側壁
４  回転式紙送り
５  メモ用紙
６  ペン立て筒
７  補助スペース
【図１】
2016203599.tif 000003
【図２】
2016203599.tif 000004
【図３】
2016203599.tif 000005
(57)【要約】      （修正有）【課題】熱溶解積層法による立体造型機で造形中の造形物の造形台からの剥離を防止する手段を提供する。【解決手段】造形台４表面に、エクストルーダー２のノズルサイズ以下の円形断面の繊維状の材質を用い、エクストルーダーの２ノズルサイズ以上の間隔で編み込んだ編み目加工３を施すことを特徴とする。【選択図】図１
2016203597.tif 000002
【特許請求の範囲】
【請求項１】
ＦＤＭ法３Ｄプリンター（熱溶解積層法による立体造型機）の造形台表面を編み目構造とすることでフィラメント（造形材）の定着を容易かつ確実にし、造形中の剥離を防止して安定した造形が得られることを特徴とした造形物定着の方法。
【発明の詳細な説明】
【技術分野】
【０００１】  本発明は、ＦＤＭ法３Ｄプリンター（熱溶解積層法による立体造型機）のフィラメント（造形材）の造形台への定着に関するものである。
【背景技術】
【０００２】  ＦＤＭ法（熱溶解積層法）による３Ｄプリンター（立体造型機）は廉価となり一般への普及も進んでいるが、フィラメント（造形材）に熱可逆性樹脂を用いることからフィラメントの熱収縮が原因で、造形中に造形台からの剥離が発生し、造形の失敗や機器の破損に至るという問題があった。【０００３】  造形中の剥離防止策としては、造形台表面とのクリアランス（間隔）調整および、余熱時の自然流出によるフィラメントの垂れを除去するなど、エクストルーダー先端のクリーニングが基本である。【０００４】  しかし、それだけでは不十分であり、ヒーテッドベッド（加熱式造形台）の使用や造形台表面への定着促進用樹脂樹脂フィルムの貼付け、粘着材の塗布などの追加措置が一般的に行われているが、いずれも剥離を完全に防止できないことが欠点である。
【発明が解決しようとする課題】
【０００５】  本発明が解決しようとする問題点は、３Ｄプリンターによる造形中における造形物の造形台からの剥離を防止することである。
【課題を解決するための手段】
【０００６】  本発明は、造形物を造形台に定着させるために造形台表面に編み目構造を施すことである。（図１）（図２）
【０００７】  編み目構造は、エクストルーダーのノズル直径以下の直径の円形断面を持つの繊維状で、エクストルーダーのノズルサイズ以上の間隔で編み込んだ形状（図３）とすることを最も重要な特徴とする。
【０００８】  本発明は、次の３項目の利点により、フィラメントの成分や環境温度に起因する熱収縮率の違いに影響されること無く、常温環境でフィラメントが造形台に固着するため、造形中の剥離を防止できる。
【０００９】  （項目１）エクストルーダー先端と造形台のクリアランスの許容範囲が広がることで造形前の初期設定が容易となる。（図４）
【００１０】  （項目２）造形初期動作で、造形ヘッドのフィラメント垂れを、編み目構造の凸凹が効率的に除去する。（図５）
【００１１】  （項目３）造形初期層のフィラメントが網み目構造の円形表面および繊維状材質の交差面にカギ状に固着して造形中の剥離を防止する。（図６）
【発明を実施するための形態】
【実施例】
【００１２】  編み目構造体を両面粘着シートを用いて造形台表面に貼付ける。（図７）【００１３】  編み目構造体を接着剤を用いて造形台表面に貼付ける。（図８）【００１４】  造形台表面を編み目構造に成形する。（図９）
【図面の簡単な説明】
【００１５】
【図１】編み目構造を施した造形台の参考斜視図
【図２】編み目構造を施した造形台の参考三面図（部分）
【図３】エクストルーダーと造形台の寸法の関係を示す参考正面図
【図４】発明を使用した造形の参考図
【図５】編み目構造の有無によるクリアランスとフィラメント定着の関係の参考正面図
【図６】エクストルーダー先端のクリーニング効果に関する参考正面図
【図７】フィラメントの固着に関する参考正面図
【図８】発明の実施例参考斜視図１
【図９】発明の実施例参考斜視図２
【図１０】発明の実施例参考斜視図３
【図１１】発明の実施例参考斜視図１に基づく製品の参考図（部分）
【図１２】発明の実施例参考斜視図１に基づく製品の装着参考図
【符号の説明】
【００１７】  ▲１▼フィラメント  ▲２▼エクストルーダー  ▲３▼編み目構造体  ▲４▼造形台  ▲５▼エクストルーダーのノズル直径  ▲６▼繊維状部分の直径  ▲７▼編み目の間隔  ▲８▼適正値クリアランスで編み目構造有りの場合は、定着面積が大きく、カギ状にしっかりと固着する。  ▲９▼適正値クリアランスで編み目構造無しの場合は、フィラメントが扁平し定着面積が広がることにより、定着力が増し定着する。  ▲１０▼適正値以下のクリアランスで編み目構造有りの場合は、余分なフィラメントが編み目構造の隙間に入り込むので造形動作の障害にならない。  ▲１１▼適正値以下のクリアランスで編み目構造無しの場合は、フィラメントがはみ出して付着し障害となるので造形できない。  ▲１２▼適正値以下のクリアランスで編み目構造無しの場合は、フィラメントが逆流し、エクストルーダーが破損するので造形できない。  ▲１３▼適正値以上のクリアランスで編み目構造有りの場合は、フィラメントが編み目構造の隙間に流れ込むのでフィラメントが固着する。  ▲１４▼適正値以上のクリアランスで編み目構造無しの場合は、定着面積が少ないので定着しない。  ▲１５▼造形前の余熱段階でフィラメントが溶けて自然流出する。  ▲１６▼エクストルーダーが造形初期動作の位置まで降下すると、流出したフィラメントは編み目構造の隙間に流れ込み固着する。  ※編み目構造が無い場合は、余熱時に自然流出したフィラメントが多量な場合はエクストルーダーの造形動作直前に手動で除去しなければならない。  ▲１７▼エクストルーダーが造形開始位置に水平移動することで、自然流出した余分なフィラメントが除去される。  ▲１８▼編み目構造を構成する円形断面の繊維状表面に溶けたフィラメントがカギ状に固着する。  ▲１９▼編み目構造体  ▲２０▼両面粘着シート  ▲２１▼粘着材  ▲２２▼造形台表面への編み目状加工
【図１】
2016203597.tif 000003
【図２】
2016203597.tif 000004
【図３】
2016203597.tif 000005
【図４】
2016203597.tif 000006
【図５】
2016203597.tif 000007
【図６】
2016203597.tif 000008
【図７】
2016203597.tif 000009
【図８】
2016203597.tif 000010
【図９】
2016203597.tif 000011
【図１０】
2016203597.tif 000012
【図１１】
2016203597.tif 000013
【図１２】
2016203597.tif 000014
【手続補正書】
【提出日】平成28年6月23日(2016.6.23)
【手続補正１】
【補正対象書類名】特許請求の範囲
【補正対象項目名】請求項１
【補正方法】変更
【補正の内容】
【請求項１】
ＦＤＭ法３Ｄプリンター（熱溶解積層法による立体造型機）の造形台表面に編み目構造を施すことでフイラメント（造形材）の定着を容易かつ確実にし、造形中の剥離を防止して安定した造形が得られる造形台を用いた造形物定着の方法。
(57)【要約】【課題】本発明では、指先だけで支持した状態で筆記できる可搬性を向上させた小型の筆記具を提供することを目的とする。【解決手段】本方式では、筆記体と、親指と人差し指で挟む支持部と、前記支持部と連なり人差し指と中指で挟む羽根部とからなり、前記支持部と前記羽根部はＶ字状に構成され、前記支持部と前記羽根部の連なりに沿い前記支持部の辺に至って前記筆記体を屈曲させて取り付ける。【選択図】図１
2016203600.tif 000002
【特許請求の範囲】
【請求項１】
筆記体と、支持部と羽根部を連ねＶ字状に構成され筆記体を取り付ける支持体とからなり、筆記体を前記支持体の縁に沿わせて取り付けられ、前記支持体を指ではさみ筆記することを特徴とする筆記具。
【請求項２】
前記支持部と羽根部を折りたたむことのできる請求項１に記載の筆記具。
【発明の詳細な説明】
【技術分野】
【０００１】  本発明は、指先だけで挟んだ状態で筆記できる小型の筆記具に関する。
【背景技術】
【０００２】  従来から広く利用されている棒状の筆記具や、手のひらで包み込む形状の筆記具や、指先に装着する筆記具が知られている。棒状の筆記具は、日常使用される鉛筆やボールペン等で知られている。手のひらで包み込む形状の筆記具の例として特開２０１１−２５５０９号公報や特開２０１１−１５４２７４号公報に開示されているものがある。また、指先に装着する筆記具の例として特開平１１−２４５５８２や実開昭６３−１３２７８１に開示されているものがある。【０００３】  棒状の筆記具においては、様々な機能や装飾を持たせることができるが、棒状であるために筆記具の先頭を指で挟みつつ、軸の途中を人差し指と親指との付け根で支持する持ち方となるため、一定の長さと太さが要求され、極度に小型化できないという問題がある。手のひらで包み込む形状の筆記具は、指で支えないので、握ることさえすれば筆記できる利点があるが、棒状の筆記具同様一定の大きさが必要となるという問題がある。指先に装着する筆記具は、小型ではあるが、指先に装着するのが煩わしく、指の装着できたとしても指への圧迫感があるという問題がある。
【先行技術文献】
【特許文献】
【０００４】
【特許文献１】特開２０１１−２５５０９号公報
【特許文献２】特開２０１１−１５４２７４号公報
【特許文献３】特開平１１−２４５５８２号公報
【特許文献４】実開昭６３−１３２７８１号公報
【発明の概要】
【発明が解決しようとする課題】
【０００５】  本発明では、指先だけで支持した状態で筆記できる可搬性を向上させた小型の筆記具を提供することを目的とする。
【課題を解決するための手段】
【０００６】  上記の課題を解決するために、本発明の筆記具は、筆記体と、親指と人差し指で挟む板状の支持部と、前記支持部と連なり人差し指と中指で挟む板状の羽根部とからなり、前記支持部と前記羽根部はＶ字状に構成されて支持体となり、前記支持部と前記羽根部の連なりに沿い前記支持部の辺に至って前記筆記体を屈曲させて取り付けものである。前記支持部と前記羽根部を蝶番など可倒可能な構造で連らねることにより折りたためることが望ましい。
【発明の効果】
【０００７】  本発明の筆記具によれば、親指と人差し指と中指だけで支持することのできる大きさにまとまった小型の筆記具となり、可搬性を向上させることができる。また、指先で支持した状態で筆記するので、指先への取り付けの煩わしさがなく、指への圧迫感なく筆記が可能になる。
【図面の簡単な説明】
【０００８】
【図１】本発明に係る筆記具の斜視図である。
【図２】図１の分解図である。
【図３】図２の分解図である。
【図４】筆記具の使用状態を説明する図である。
【発明を実施するための形態】
【０００９】  以下、本発明に係る筆記具の実施の形態例を図１〜図４を参照して説明する。
筆記具１は、支持体２と筆記体５でなり、支持体２は、支持部３と羽根部４とで構成され、支持部３と羽根部４は同形の略三角形をなす。
【００１０】  指先だけで支持しての筆記とするため、辺３ａと辺４ａの長さは、人差し指の第一関節の長さ程度（２ｃｍ〜３ｃｍ、望ましくは２．５ｃｍ）である。支持部３の厚みは、支持部３と筆記体５との段差を少なくして指での支持の際に違和感のないようにするため、筆記体５の太さを超えない程度（３ｍｍ）である。羽根部４は人差し指と中指に挟みこむ際に違和感のない厚み（１ｍｍ〜２ｍｍ、望ましくは１ｍｍ）である。
【００１１】  辺３ｂは、筆記体５の軸５ｂを沿わせる部位である。直線で構成されても良いが、軸５ｂを沿わせるために曲線とするのが望ましい。
【００１２】  ３ｄと３ｅは支持部３に具備される嵌合孔である。４ｂは羽根部４に具備される嵌合孔であり、嵌合孔３ｄと嵌合孔３ｅと合わせて蝶番を構成する。嵌合孔３ｄと３ｅと４ｂの内径は、筆記体５をスムーズに挿入できるよう３ｍｍ強の大きさである。
【００１３】  筆記体５の軸５ｂはプラスチック樹脂などに代表される屈曲させることができる柔軟なものである。筆記体５の長さは、支持部３の辺の全周（３ａの長さと３ｂの長さと３ｃの長さの合計）の長さを超えない長さ（６ｃｍ〜９ｃｍ、望ましくは６ｃｍ程度）である。
【００１４】  支持部３と羽根部４が、辺３ａ及び辺４ａをもって線対称となるよう、辺３ａと辺４ａは合わさり、嵌合孔である３ｄと４ｂと３ｅが一直線に並び、筆記体５の先端５ａを嵌合孔３ｅ、４ｂ、３ｄの順に挿入し、嵌合孔３ｄから筆記先端５ａが５ｍｍ程度突出した状態とする。
【００１５】  筆記体５の軸５ｂは屈曲させて支持部３の辺３ｂに沿い、後述の留め付け具３ｆに至る。
【００１６】  留め付け具３ｆは、支持部３に具備され、筆記体５の終端５ｃを留め付けするものである。留めつけ具３ｆは閉じてない筒状で、筒の開いた箇所から筆記体５の終端５ｃを潜らせるように取り付け及び取り外しができるようになっている。
【００１７】  図４を参照し、筆記具１の扱い方を説明する。支持部３を親指と人差し指で挟み込み、羽根部４を人差し指と中指で挟み込みこんだ状態で筆記具１を支持し、筆記先端５ａにて筆記する。収納時は支持部３と羽根部４を折りたたみ、より小型化された状態となる。
【００１８】  支持部３及び羽根部４の材質は金属、プラスチック樹脂、木材、ゴムなど、筆記体５を固定できるだけの剛性を有するものが望ましい。
【００１９】  軸５ｂは、屈曲可能であるプラスチック樹脂が望ましいが、筆記体５の長さが辺３ａの長さに収まるものであれば、軸５ｂは金属等剛体であっても良い。
【符号の説明】
【００２０】１    筆記具
２    支持体
３    支持部
３ａ  辺
３ｂ  辺
３ｃ  辺
３ｄ  嵌合孔
３ｅ  嵌合孔
３ｆ  留め付け具
４    羽根部
４ａ  辺
４ｂ  嵌合孔
５    筆記体
５ａ  筆記先端
５ｂ  軸
５ｃ  終端
【図１】
2016203600.tif 000003
【図２】
2016203600.tif 000004
【図３】
2016203600.tif 000005
【図４】
2016203600.tif 000006
(57)【要約】【課題】色々な文字の印鑑カートリッジを磁石で連結して使用する判子を提供する。【解決手段】印柱先端に磁石を設け、印字カートリッジ側には磁力で連結する金属部を設けた印字取り替え式の判子。【選択図】図１
2016203605.tif 000002
【特許請求の範囲】
【請求項１】
色々な文字の印鑑カートリッジ（９）の強磁性体金属（３）と印柱（１）の磁石（２）が連結する判子であり、前記磁石（２）と強磁性体金属（３）を設けたことを特徴とする発明の名称。
【発明の詳細な説明】
【技術分野】
【０００１】本発明は印柱と印字部を磁力で連結し印字部を取り替えする印鑑である。
【背景技術】
【０００２】従来、印字部を磁力で連結する取り替え印は無い。
【発明の概要】
【発明が解決しようとする課題】
【０００３】（イ）ゴム印の印字内容をピンセットで取り替える物が有った
（ロ）印字部を印字ケースから簡単に装着、収納する色々な印字を取り替える磁石使用の印鑑は無かった。
【課題を解決するための手段】
【０００４】印柱と印字部を磁石と強磁性体金属で連結機能を設け印字ケースより磁石で取り出し装着、使用後は元のケースに指で軽く付勢して収納する印字取り替え式の印鑑
【発明の効果】
【０００５】封筒の封印を利用目的により印字を替えて使用したり、手紙の最後に氏名の横に思いを込めた文字の印を押印する心の封印、心の封書が出来る。
【図面の簡単な説明】
【０００６】
【図１】本発明の断面図とキップ内部上面図
【図２】本発明の側面図
【図３】本発明の収納ケース側面図途上面図
【発明を実施するための形態】
【０００７】以下、本発明の実施形態について説明する
（イ）印柱（１）と印字部カートリッジ（９）が磁石（２）と強磁性金属（３）により連結された印鑑である。
（ロ）印柱（１）の先端に磁石（２）を設け、印字部（４）と接合する強磁性体金属（３）は磁石（２）と磁力で連結し、磁石差し込み空間部（６）に差し込まれた印柱（１）は差し込み固定凸部（７）によりさらに固定される。
本発明は以下のような構成である。
本発明を使用する時は印柱（１）を色々な印字が収納された印字ケース（図３）の印字カートリッジ（９）に差し込み印字上部目印（８）を使い押印する。
【符号の説明】
【０００８】１  印柱
２  磁石
３  強磁性体金属
４  印字部
５  キャップ
６  磁石差し込み空間部
７  差し込み固定凸部
８  印字上部目印
９  印字部カートリッジ
【図１】
2016203605.tif 000003
【図２】
2016203605.tif 000004
【図３】
2016203605.tif 000005
(57)【要約】      （修正有）【課題】従来のカレンダーでは、残された日が下に来るので、切迫感がある。【解決手段】従来のカレンダーの上下を逆にすることで残された日が上に来て、過ぎた日が下に来るので達成感を味わえる積日カレンダー。【選択図】図１
2016203601.tif 000002
【特許請求の範囲】
【請求項１】
従来のカレンダーの上下を逆に配置したカレンダー。
【発明の詳細な説明】
【技術分野】
【０００１】  この発明は、上下を逆にしたカレンダーに関するものである。
【背景技術】
【０００２】  従来のカレンダーは、主に一週間ごとに下へ改行され、月ごとにまとめられている。
【発明の概要】
【発明が解決しようとする課題】
【０００３】  月ごとの卓上カレンダーに一日が終わるとカレンダーにレ点をつけていたのだが、今は一年のうちのどのあたりなのか、過ぎた月日、残された月日がわかりにくかった。そこで一ケ月ごとの卓上カレンダーを切り貼りして、７日×５３週の縦長のカレンダーを作成した。一年が終わる頃には、黒く塗りつぶされたカレンダーと、残り少ない白紙の部分とに切迫感を感じさせられ、不快であった。
【課題を解決するための手段】
【０００４】  従来、一年の始まり、１月１日（１）は上に、終わり１２月３１日（２）は下に来るが、その上下を逆にした。つまり、最上段には１２月３１日が、最下段には１月１日が来るカレンダーである。
【発明の効果】
【０００５】  一日が終わるごとにレ点をつけるという使用方法は従来のものと同じである。一年が終わる頃には、黒く塗りつぶされた部分が下に来るため、日々を“積み重ねた”ようで、達成感が得られた。また、通常とは違う日用品に、脳が刺激された。
【図面の簡単な説明】
【０００６】
【図１】本発明の図面である。
【発明を実施するための形態】
【０００７】  以下、本発明を実施するための形態について説明する。
１月１日（１）を、曜日に従い左下に配置する。２日以降をその右側に配し、一週間が終わったら翌週はその上段に配置する。１月３１日がきても、そのまま右に２月１日を配置する。以下、一年分を繰り返し、１２月３１日が一番右上に来る、縦長のカレンダーとなる。
【符号の説明】
【０００８】  ▲１▼  １月１日
▲２▼  １２月３１日
【図１】
2016203601.tif 000003
(57)【要約】【課題】シャープペンシル、ボールペン等の筆記具の先端部分の構造は、微細かつ繊細であるため保護の必要があり、これまで様々な対策が試されてきた。現在では、先端部分をワンタッチで軸内に収納し保護する構造が主流である。しかし、この構造はこれらの筆記具の先端部分を保護する決定的な効果を持たず、仮に先端部分を露出したまま落下させてしまうと、先端部分が床面に接触し破損する恐れがある。【解決手段】シャープペンシル、ボールペン等の筆記具のうち、先端部分をワンタッチで軸内に収納する構造の筆記具の軸内に加速度センサを内蔵し、軸外の一部に付帯した太陽電池によって給電することで稼働させ、自由落下を感知し、かつ先端部分が軸外に露出していた場合に、先端部分を即座に自動的に収納することで、先端部分を保護する。このことにより、これらの筆記具の先端部分は自由落下によって破損しにくくなり、より壊れにくく長持ちするようになる。【選択図】なし【特許請求の範囲】
【請求項１】
シャープペンシル、ボールペン、万年筆、サインペン等の筆記具のうち、先端部分をワンタッチで軸内に収納する構造の筆記具の軸内に加速度センサを内蔵し、軸外の一部分に付帯した太陽電池によってこれに給電することで稼働させ、自由落下を感知し、かつ先端部分が軸外に露出していた場合に、先端部分を即座に自動的に収納することで、先端部分の保護をより堅牢に行うことを可能とすることを特徴とする加速度センサを内蔵した先端収納式筆記具。
【発明の詳細な説明】
【技術分野】
【０００１】
本考案はシャープペンシル、ボールペン、万年筆、サインペン等の筆記具のうち、先端をワンタッチで軸内に収納する構造の筆記具の軸内に加速度センサを内蔵し、軸外に太陽電池を付帯し、これらの筆記具の自由落下を加速度センサが感知した場合に、ペン先を即座に自動的に収納することでペン先の破損を極力抑えることを可能とした、これらの筆記具に関するものである。
【背景技術】
【０００２】
シャープペンシル、ボールペン、万年筆、サインペン等の筆記具の先端部分の構造は、微細かつ繊細であるため保護の必要があり、これまで様々な対策が試されてきた。現在では、先端部分をワンタッチで軸内に収納し保護する構造が主流であると言えよう。しかし、この構造はこれらの筆記具の先端部分を保護する決定的な効果を持たず、仮に先端部分を露出したまま落下させてしまうと、先端部分が床面に接触し衝撃により破損する恐れが十分にある。
他方で、加速度センサは、ＭＥＭＳ技術の応用により小型化が進むとともに、多軸の加速度を検出可能となったことで用途が広がり、ゲームや携帯機器の入力装置から機械・運輸、環境、医療など幅広く利用されつつある。その機能は、大きく分けて加速度検出、傾き検出、振動検出、動き検出、衝撃検出、落下検出などである。落下検出では、無重力状態を検出する。加速度センサが静止または等速運動状態である場合には、重力加速度が検出される。自由落下状態であればいわゆる無重力状態となり、検出される加速度が異なるので、落下を検出することができる。
【先行技術文献】
【特許文献】
【０００３】
【特許文献１】特開２０１１−２４０５０３号広報
【非特許文献】
【０００４】
【非特許文献１】特許庁総務部企画調査課 技術動向班、平成２１年度  特許出願技術動向調査報告書  加速度センサ（要約版）、[ｏｎｌｉｎｅ]、平成２２年４月、特許庁、[平成２７年４月２１日検索]、インターネット〈ＵＲＬ：https://www.jpo.go.jp/shiryou/pdf/gidou.../21acceleration_sensor.pdｆ〉
【発明の概要】
【発明が解決しようとする課題】
【０００５】
シャープペンシル、ボールペン、万年筆、サインペン等の筆記具の先端部分の構造は、微細かつ繊細であるため保護の必要があり、これまで様々な対策が試されてきた。現在では、先端部分をワンタッチで軸内に収納し保護する構造が主流であると言えよう。しかし、この構造はこれらの筆記具の先端部分を保護する決定的な効果を持たず、仮に先端部分を露出したまま落下させてしまうと、先端部分が床面に接触し衝撃のため破損する恐れが十分にある。
【課題を解決するための手段】
【０００６】
本考案はシャープペンシル、ボールペン、万年筆、サインペン等の筆記具のうち、先端部分をワンタッチで軸内に収納する構造の筆記具の軸内に加速度センサを内蔵し、軸外の一部に付帯した太陽電池によってこれに給電することで稼働させ、自由落下を感知し、かつ先端部分が軸外に露出していた場合に、先端部分を即座に自動的に収納することで、先端部分の保護をより堅牢に行うことを可能とする。このことにより、シャープペンシル、ボールペン、万年筆、サインペン等の筆記具のうち、先端部分をワンタッチで軸内に収納する構造の筆記具の先端部分は自由落下によって破損することがなくなるため、より壊れにくく長持ちするようになる。
(57)【要約】      （修正有）【課題】船舶のプロペラ軸からプロペラを取り外す作業を少人数、短時間で行うことができる舶用プロペラ離脱装置を提供する。【解決手段】プロペラ軸に固定金具を取付け、滑らないように十分に締め付ける。次にプロペラボス側の受け金物を取付、４本のジャッキボルトを平等に掛けることによりプロペラ本体を押し出し取り外す。【選択図】図１
2016203959.tif 000002
【特許請求の範囲】
【請求項１】
固定金物をプロペラ軸に締め付けボルトにより固定し、ジャッキボルトによプロペラボス部を押し出す。
【発明の詳細な説明】
【発明の詳細な説明】
【発明に属する技術分野】
【０００１】  添付図に示すような金具を取り付けることにより、プロペラを押し出し簡単にプロペラを取り外す事が出来る。プロペラ本体と軸はテーパー合わせ構造になっていて僅かにずらせば外れる。
【背景技術】
【０００２】  プロペラ本体と軸はテーパー合わせになってるとはいえ、長年  推進機関の動力をプロペラに伝達する使用に耐えてきたことから、しっかり噛み合った状態になって外れにくい状態になっている。
プロペラ離脱の従来の方法は、チェーンブロックで引っ張ったり、叩いたり  又は  ジャッキで押したり  又はプロペラボス部に軽く熱を加えたりして行っていて  大変困難な作業であった。
【発明が解決しようとする課題】
【０００３】  従って  本発明はある金具をセットする事により、少人数で短時間にプロペラ離脱作業を完了させるものである。
【課題を解決するための手段】
【０００４】  （１）軸径に合った固定、合わせ金具複数種準備して置き適した軸に取り付ける。
（２）プロペラボスを直接押す事になるので、損傷させない為に受け金物を取り付ける        。
（３）複数のジャッキボルトをセットし、平等にボスを押し出して行く。
別紙“舶用プロペラ離脱装置図”を参照する。
【発明を実施するための形態】
【０００５】  まず、別紙図面“舶用プロペラ離脱装置図”を見ながら説明しますと、１．脱落防止具（チェンブロック）セット、２．プロペラナットを外す（プロペラが抜ける状態になる）これから本発明品の使用になる。
本発明の実施の形態を述べると、まず固定金具をプロペラ軸に取り付けるが滑らない様に十分に締付け取り付ける、次にプロペラボス側の受け金物を取付、４本のジャッキボルトを平等に掛けることにより、プロペラを押し出す。
この場合、図内の５，６のジャッキボルト用の工具２丁を使用してジャッキをかける事になる。
以上の方法で、プロペラ本体を１０ｍｍでも押し出しできれば、テーパー接触あるので、簡単に離脱出来る事になる。
【発明の効果】
【０００６】  以上述べた様に、これまでは数人掛りで長時間かけ苦労して、プロペラを抜いていたが、これを使用することにより、一人か二人の人数で短時間に作業が完了する。
また  今回の添付図は軸径６０ｍｍ〜８０ｍｍ用金物の作図であるが、さらに大きな軸径仕様の金物を同じ構造案で制作して置くものである。
【図面の簡単な説明】
【図１】本発明品の取付図
【図２】固定金物図
【図３】プロペラ側受け金物図
【図４】固定金物取付ボルト詳細図
【図５】ジャッキボルト詳細図
【図６】合わせ金物
【符号の説明】１  脱落防止具（チェーンブロック）
２  プロペラナット
３  プロペラ
４  ジャッキボルト用工具
５  ジャッキボルト用工具
【図１】
2016203959.tif 000003
【図２】
2016203959.tif 000004
【図３】
2016203959.tif 000005
【図４】
2016203959.tif 000006
【図５】
2016203959.tif 000007
【図６】
2016203959.tif 000008
(57)【要約】【課題】従来の回転球体フレーム付きラジコンヘリは、内部カメラで撮った写真に球体フレームが写り込むので、橋梁などの近接目視の代替になり得ない。【解決手段】内部カメラで撮った写真に回転球体フレームが写らないようにするために、球体フレームの一部を取り外す。また回転球体フレームに重りをつけて、フレームの一部を取り外した部分の方向を任意に調節できるようにする。【選択図】図１
2016203958.tif 000002
【特許請求の範囲】
【請求項１】
球体フレームの一部を取り外したことを特徴とするラジコンヘリと独立して回転する球体フレーム。
【請求項２】
請求項１記載の回転する球体フレームに重りをつけて、球体フレームの一部を取り外した部分の方向を任意に調節できることを特徴とするラジコンヘリと独立して回転する球体フレーム。
【発明の詳細な説明】
【技術分野】
【０００１】  この発明は、橋梁やトンネルなどのインフラ点検に用いる独立回転球体フレーム付きラジコンヘリの球体フレームの形状に関する。
【背景技術】
【０００２】  ラジコンヘリと独立して回転する球体フレーム付きラジコンヘリは、球体フレームが内部のラジコンヘリの姿勢と独立して回転するため、壁や天井を転がりながらラジコンヘリを飛行させることができる。このため内部にカメラを設置した独立回転球体フレーム付きラジコンヘリを橋梁やトンネルなどのインフラ点検に活用することが期待されている。
【発明の概要】
【発明が解決しようとする課題】
【０００３】  しかしながら、従来の独立回転球体フレーム付きラジコンヘリは、内部カメラで撮った写真に球体フレームが写り込むので、国などが今後求めると予想される橋梁などの近接目視の代替になり得ない。
そこで、この発明は、内部カメラで撮った写真に球体フレームが写らないようにすることを課題とする。
【課題を解決するための手段】
【０００４】  以上の課題を解決するために、第一発明は、球体フレームの一部を取り外すことにより、内部カメラで撮った写真に球体フレームが写らないようにしたことを特徴とするラジコンヘリと独立して回転する球体フレームである。
また、第二発明は、球体フレームに重りをつけることにより、球体フレームの一部を取り外した部分の方向を任意に調節できることを特徴とするラジコンヘリと独立して回転する球体フレームである。
【発明の効果】
【０００５】  第一発明によれば、球体フレームの一部を取り外したことで、この部分は相対的に軽くなるため真上に位置する。したがって上向きのカメラをズームで用いることにより、球体フレームが写り込まない橋梁下部面やトンネル上部面の写真を撮ることができる。この結果、国などが今後求めると予想される橋梁などの近接目視の代替になり得る。【０００６】  第二発明によれば、球体フレームの適切な位置に重りをつけることにより、フレームの一部を取り外した部分を斜めや真横の方向に向けることができる。これにより橋梁側面やトンネル側面などの写真を撮ることができる。この結果、橋梁側面などの点検についても国などが今後求めると予想される近接目視の代替になり得る。
【図面の簡単な説明】
【０００７】
【図１】この発明の一実施形態を示す斜視図である。
【図２】この発明の一実施形態を示す部分拡大図である。
【図３】この発明の一実施形態を示す部分拡大図である。
【図４】従来技術を示す斜視図である。
【発明を実施するための形態】
【０００８】  この発明の一実施形態を、図１に示す。
独立回転球体フレームの上側は、フレームの一部を取り外している。この上側の部分は相対的に軽い。そこでラジコンヘリの飛行中に球体フレームが障害物に当たって一時回転しても、この上側の部分は、しばらくすると真上に戻る。そこで内部に設置した上向きのカメラを適切なズーム設定にすれば、球体フレームが写り込まない橋梁下部面やトンネル上部面の写真を撮ることができる。
この発明の一実施形態を、図３に示す。
独立回転球体フレームの下側に、手に持っている適切な重さの重りをつける。これによって、ラジコンヘリの飛行中に球体フレームが障害物に当たって一時回転しても、フレームの一部を取り外した部分は、しばらくすると真横を向くように調節されている。
独立回転球体フレーム付きラジコンヘリとは、ラジコンヘリと独立して回転する球体フレーム付きのラジコンヘリをいう。
国などが今後求めると予想される近接目視の代替とは、政府が２０１５年１月２３日に発表したロボット新戦略の中で、インフラの目視点検等にロボットを活用すると明記したことを受けて、今後予想されるロボットによる近接目視の代替をいう。ロボット新戦略は２０２０年頃までには、国内の重要インフラ・老朽化インフラの２０％はセンサー、ロボット、非破壊検査技術等の活用により点検・補修を高効率化する、と明記している。
【図１】
2016203958.tif 000003
【図２】
2016203958.tif 000004
【図３】
2016203958.tif 000005
【図４】
2016203958.tif 000006
(57)【要約】【課題】従来、自営業者以外は（１）確定申告に慣れておらず、また（２）確定申告しても還付金の額が小さく、（３）還付金が支払われるのが年に１回であることから、確定申告せず還付金を放棄している課題があった。【解決手段】本発明のクレジットカードシステム（もしくはデビッドカードなどこれに類するもの）では、（１）利用者が、経費計上できる物やサービスの購入や、病院での医療費の支払い、寄付金などのクレジットカード決済を行うと、（２）その決済額による還付金相当額の一部（例えば９０％）もしくは全額が、ポイントとしてつく（その場で値引きでもよい）。（３）確定申告時には、クレジットカードシステムが、税務署サーバ（ｅ−Ｔａｘなど）に接続するなどして、利用者の確定申告を行う。（４）税務署サーバは、銀行サーバに接続するなどして、クレジットカード会社の口座に還付金を送金する。【特許請求の範囲】
【請求項１】
決済時、決済額による還付金の一部もしくは全部がポイントとして付加されることを特徴とするシステム
【発明の詳細な説明】
【技術分野】本発明は、ポイント還元システムの技術分野に属する。
【背景技術】商品購入時などにポイント還元されるクレジットカードなどがある。
【発明の概要】
【発明が解決しようとする課題】従来、自営業者以外は（１）確定申告に慣れておらず、また（２）確定申告しても還付金の額が小さく、（３）還付金が支払われるのが年に１回であることから、確定申告せず還付金を放棄している課題があった。
【課題を解決する手段】
本発明のクレジットカードシステム（もしくはデビッドカードなどこれに類するもの）では、（１）利用者が、経費計上できる物やサービスの購入や、病院での医療費の支払い、寄付金などのクレジットカード決済を行うと、（２）その決済額による還付金相当額の一部（例えば９０％）もしくは全額が、ポイントとしてつく（その場で値引きでもよい）。（３）確定申告時には、クレジットカードシステムが、税務署サーバ（ｅ−Ｔａｘなど）に接続するなどして、利用者の確定申告を行う。（４）税務署サーバは、銀行サーバに接続するなどして、クレジットカード会社の口座に還付金を送金する。
【発明の効果】
確定申告の手間や、還付金支払いまでの遅延なく、控除額の一部がポイントとして還付される。
【発明を実施するための形態】
【実施例１】（１）利用者は、スーツなど経費計上できる物品の購入時や、病院での支払い、寄付時、本発明のクレジットカードで決済を行う。
（２）クレジットカード会社サーバは、控除額の９０％のポイントを、利用者に付加する（リアルタイムでもよいし、確定申告後でもよい）。
（３）確定申告時、クレジットカード会社サーバは、税務署サーバ（ｅ−Ｔａｘなど）に接続し、確定申告を代行する。
（４）税務署サーバは、銀行サーバに接続し、還付金をクレジットカード会社の口座に送金する。
（５）クレジットカード会社は１０％の利益を得ることができる。